(57)【要約】      （修正有）【課題】本体とボックスとを有し、ボックスを本体に完全に嵌め込むことができる衣類ハンガーを提供する。【解決手段】本体は、開口部を有するとともに、前側と後側とを有する。ボックスは、開口部に取り外し可能に嵌め込まれるとともに、前側と後側とを有する。ボックスの前側形状は、開口部における本体の前側形状と対応している。ボックスの後側形状は、開口部における本体の後側形状と対応しているとともに、ボックスの前側形状とは異なっている。ボックスの厚さは本体の厚さと同じである。【選択図】図１Ａ
0003161732.tif 000002
【実用新案登録請求の範囲】
【請求項１】
開口部を有するとともに、前側と後側とを備える本体と、
前記開口部に取り外し可能に嵌め込まれるとともに、前側および後側を備えるボックスと、
を備える衣類ハンガーであって、
前記ボックスの前側形状は、前記開口部における前記本体の前側形状と対応しており、前記ボックスの後側形状は、前記開口部における前記本体の後側形状と対応しているとともに、前記ボックスの前記前側形状とは異なっている衣類ハンガー。
【請求項２】
請求項１に記載の衣類ハンガーであって、前記ボックスの前記前側および前記開口部における前記本体の前記前側はそれぞれ長方形であり、前記ボックスの前記後側は上部側に凸部を有する長方形であり、前記開口部における前記本体の前記後側は上部側壁に凹部を有する長方形である衣類ハンガー。
【請求項３】
請求項２に記載の衣類ハンガーであって、前記ボックスの前記後側は下側に延設される突起をさらに備えており、前記開口部における前記本体の前記後側は下部側壁に延設される溝をさらに備えている衣類ハンガー。
【請求項４】
請求項２に記載の衣類ハンガーであって、前記本体の前記凹部および前記ボックスの前記凸部はそれぞれ半円状である衣類ハンガー。
【請求項５】
請求項１に記載の衣類ハンガーであって、前記ボックスは芳香剤あるいは抗菌剤を保持するように構成されており、前記ボックスに形成された複数の孔を備えている衣類ハンガー。
【請求項６】
請求項１に記載の衣類ハンガーであって、前記本体の表面の少なくとも一部に合成ゴムペイントがスプレーされている衣類ハンガー。
【請求項７】
開口部を有するとともに、前側と後側とを備える本体と、
前記開口部に取り外し可能に嵌め込まれるとともに、前側と後側とを備えるボックスと、
を備える衣類ハンガーであって、
前記ボックスの前側形状は、前記開口部における前記本体の前側形状と対応しており、前記ボックスの後側形状は、前記開口部における前記本体の後側形状と対応しているとともに、前記ボックスの前記前側形状とは異なっており、前記ボックスの厚さは前記本体の厚さと同じであり、前記ボックスを前記本体に完全に嵌め込むことができる衣類ハンガー。
【請求項８】
請求項７に記載の衣類ハンガーであって、前記ボックスの前記前側および前記開口部における前記本体の前記前側はそれぞれ長方形であり、前記ボックスの前記後側は上部側に凸部を有する長方形であり、前記開口部における前記本体の前記後側は上部側壁に凹部を有する長方形である衣類ハンガー。
【請求項９】
請求項８に記載の衣類ハンガーであって、前記ボックスの前記後側は下側に延設される突起をさらに備えており、前記開口部における前記本体の前記後側は下部側壁に延設される溝をさらに備えている衣類ハンガー。
【請求項１０】
請求項８に記載の衣類ハンガーであって、前記本体の前記凹部および前記ボックスの前記凸部はそれぞれ半円状である衣類ハンガー。
【請求項１１】
請求項７に記載の衣類ハンガーであって、前記ボックスは芳香剤あるいは抗菌剤を保持するように構成されており、前記ボックスに形成された複数の孔を備えている衣類ハンガー。
【請求項１２】
請求項７に記載の衣類ハンガーであって、前記本体の表面の少なくとも一部に合成ゴムペイントがスプレーされている衣類ハンガー。
【考案の詳細な説明】
【技術分野】
【０００１】
本願は、主に日常生活の家庭用品、特に衣類ハンガーに関する。
【背景技術】
【０００２】
衣類ハンガーに掛けられる衣類と、その衣類ハンガーと、芳香で満たされた衣類ハンガーを収容する衣装ダンスが一般に求められる。従来の衣類ハンガーの多くは、滑り止め効果を得るようにフロック加工されている。
【考案の概要】
【考案が解決しようとする課題】
【０００３】
しかしながら、フロック加工された衣類ハンガーは、フロック加工に用いるフロックの一部が落ちることもあり、鼻が敏感な人に刺激をもたらすおそれがある。
【課題を解決するための手段】
【０００４】
本願は、衣類ハンガーに対してなされたものである。一の面において、衣類ハンガーは、開口部を有するとともに、前側と後側とを有する本体と、開口部に取り外し可能に嵌め込まれるとともに前側と後側とを有するボックスと、を有する。ボックスの前側形状は、開口部における本体の前側形状と対応している。ボックスの後側形状は、開口部における本体の後側形状と対応しているとともに、ボックスの前側形状とは異なっている。
【０００５】
ボックスの前側および開口部における本体の前側はそれぞれ長方形とすることができる。ボックスの後側は上部側に凸部を有する長方形とすることができる。開口部における本体の後側は上部側壁に凹部を有する長方形とすることができる。
【０００６】
ボックスの後側は下側に延設される突起をさらに有することができる。開口部における本体の後側は下部側壁に延設される溝をさらに有することができる。
【０００７】
本体の凹部およびボックスの凸部はそれぞれ半円状とすることができる。
【０００８】
ボックスの厚さは本体の厚さと同じとでき、ボックスを本体に完全に嵌め込むことができる。
【０００９】
ボックスを芳香剤あるいは抗菌剤を保持するように構成することができ、ボックスに形成された複数の孔を有することができる。
【００１０】
本体の表面の少なくとも一部に合成ゴムペイントをスプレーすることができる。
【００１１】
他の面において、本願は、開口部を有するとともに、前側と後側とを有する本体と、開口部に取り外し可能に嵌め込まれるとともに前側と後側とを有するボックスと、を有する衣類ハンガーを提供する。ボックスの前側形状は、開口部における本体の前側形状と対応している。ボックスの後側形状は、開口部における本体の後側形状と対応しているとともに、ボックスの前側形状とは異なっている。ボックスの厚さは本体の厚さと同じであり、ボックスを本体に完全に嵌め込むことができる。
【図面の簡単な説明】
【００１２】
【図１Ａ】本願の実施形態にかかる衣類ハンガーの本体の後側の斜視図である。
【図１Ｂ】図１Ａに示した本体の前側の斜視図である。
【図２Ａ】図１Ａに示した本体の背面図である。
【図２Ｂ】図１Ａに示した本体の正面図である。
【図３】図１Ａの実施形態にかかる衣類ハンガーのアロマボックスの前方斜視図である。
【図４】図３に示したアロマボックスの後方斜視図である。
【図５Ａ】半分開いた状態の図３に示したアロマボックスの斜視図である。
【図５Ｂ】半分開いた状態の図３に示したアロマボックスの他の斜視図である。
【図６】完全に開いた状態の図３に示したアロマボックスの概略図である。
【考案を実施するための形態】
【００１３】
次に、本願において開示する衣類ハンガーの実施形態の説明を詳細に行う。実施形態の例もまた以下に説明する。本願において開示する衣類ハンガーの例示的な実施形態を詳細に説明するが、衣類ハンガーの理解にとって特に重要でないいくつかの特徴を明瞭のために示していないこともあることは当業者には理解されよう。
【００１４】
さらに、本願において開示する衣類ハンガーは、後述する詳細な実施形態に限定されず、保護の精神あるいは範囲を逸脱することなく種々の変形および変更を当業者によってなしうることは、理解されよう。例えば、異なる例示的な実施形態のエレメントおよび／または特徴を、本開示の範囲内で、互いに組み合わせること、かつ／または、互いに置き換えることができる。
【００１５】
本願の実施形態にかかる衣類ハンガーは、本体と、アロマボックスと、を有する。図１Ａは、本体の後側の斜視図である。図１Ｂは、本体の前側の斜視図である。図２Ａは、本体の背面図である。図２Ｂは、本体の正面図である。図１Ａ乃至図２Ｂを参照して、本体１００は、アロマボックスを収容するように構成される開口部１０１を有している。図３は、アロマボックスの前方斜視図である。図３を参照して、アロマボックス１０３は香料あるいは他の芳香剤を内部に保持するように構成される。ある数の空気孔１０５がアロマボックス１０３で形成され、芳香剤の芳香が空気孔１０５を通って拡散することが可能であり、これにより、芳香で、衣類ハンガーと、衣類ハンガー上の衣類と、衣類ハンガーおよび衣類を収容している衣装ダンスと、を満たすことができる。衣類ハンガーに抗菌機能をもたせるよう、抗菌剤をアロマボックス１０３内に置くこともできる。
【００１６】
図１Ａおよび図３を参照して、アロマボックス１０３の厚さは本体１００の厚さと同じとでき、これにより、アロマボックス１０３を本体１００に完全に嵌め込むことができる。本体１００およびアロマボックス１０３を極めて薄い設計とすることができ、これにより、ユーザが衣装ダンスの利用可能な空間を効率的に用いることができる。
【００１７】
図４は、本実施形態におけるアロマボックスの後方斜視図である。図５Ａは、半分開いた状態のアロマボックスの斜視図である。図５Ｂは、半分開いた状態のアロマボックスの他の斜視図である。図６は、完全に開いた状態のアロマボックスの概略図である。図１Ａ乃至２Ｂを参照して、本実施形態において、開口部１０１における本体１００の前側形状と後側形状とは異なる。これに対応し、図３乃至図６を参照して、アロマボックス１０３の形状を、開口部１０１における本体１００の形状と対応させる必要がある。より具体的には、アロマボックス１０３の前側形状を、開口部１０１における本体１００の前側形状と対応させる必要があり、また、アロマボックス１０３の後側形状を、開口部１０１における本体１００の後側形状と対応させる必要がある。この誰でも扱える設計により、ユーザはアロマボックス１０３を本体１００に正しい方向にのみ嵌め込むことができ、さらに、アロマボックス１０３が本体１００に完全に嵌め込まれることが保証される。また、ユーザが、まったく道具を使うことなく、アロマボックス１０３を本体１００から取り出すことができ、あるいはアロマボックス１０３を本体１００に嵌め込むことができ、非常に都合がよい。
【００１８】
本実施形態において、図１Ａ乃至図１Ｂを参照して、開口部１０１における本体１００の前側は、一般的な長方形の孔である。開口部１０１における本体１００の後側は、上部側壁に凹部１０７と、下部側壁に延設された溝１０９と、を有する長方形の孔である。これに対応し、図３を参照して、アロマボックス１０３の前側は長方形形状であり、そして、図４を参照して、アロマボックス１０３の後側は、上部側に凸部１１１と、下部側に延設された突起１１３と、を有する長方形である。図６を参照して、延設突起１１３を、アロマボックス１０３の前側と後側との間の連結部としてさらに用いることもできる。
【００１９】
図５Ａ乃至図５Ｂを参照して、ユーザは、アロマボックスの凸部１１１を、道具をなにも使うことなくアロマボックスを開閉するのに利用することもできる。ユーザは、直接凸部１１１によってアロマボックスを開けて、ユーザの好きな香料片をアロマボックス１０３内に置くことができる。
【００２０】
図１Ａを参照して、開口部１０１における本体１００の凹部１０７は、半円形状である。これに対応し、図４を参照して、アロマボックス１０３の凸部１１１もまた半円形状である。本体１００の凹部１０７を、他の形状例えば円弧状、長方形、正方形、三角形などとすることができることは理解されよう。アロマボックス１０３の凸部１１１もまた、対応する形状例えば円弧状、長方形、正方形、三角形などとすることができる。
【００２１】
本体１００の凹部１０７の数を、１つより多く例えば２つ、３つなどとすることができることは理解されよう。アロマボックス１０３の凸部１１１の数もまた、これに対応して１つより多くできる。
【００２２】
本体１００がアロマボックス１０３にぴったり嵌合し、そして、アロマボックス１０３を本体１００に完全に嵌め込むことができる限り、開口部１０１における本体１００の形状もまた適切に調整することができる。例えば、開口部１０１における本体１００の後側を、上部側壁に凸部を有する長方形の孔とすることができる。これに対応して、アロマボックス１０３の後側を、上部側に凹部を有する長方形とすることができる。あるいは、開口部１０１における本体１００を、円、楕円形など他の形状とすることもできる。これに対応して、アロマボックス１０３もまた、円、楕円形など他の形状とすることもできる。
【００２３】
本実施形態において、衣類ハンガーを射出成形によって形成することができ、そして、衣類ハンガーの表面の少なくとも一部に合成ゴムペイントがスプレーされ、これにより、衣類ハンガーは衣類が簡単に落下することを防止する滑り止め機能を有する。合成ゴムペイントで衣類ハンガーの表面の一部を覆うことによって、滑り止め効果が達成され、フロック加工によって生じるフロックが落ちるという問題が回避され、鼻が敏感な人への刺激が回避される。
【００２４】
上述した衣類ハンガーの製造方法として、金型を用いる射出成形によって本体プラスチック部材を形成するステップと、射出成形によって本体プラスチック部材を形成する同時に、開口部を本体プラスチック部材に形成するステップと、金型を用いる射出成形方法によって開口部の形状と対応するアロマボックスを形成するステップと、滑り止め効果を得るために本体プラスチック部材の表面の少なくとも一部に合成ゴムペイントをスプレーするステップと、を有する。
【００２５】
本体プラスチック部材が形成された後、スムーズさの検査を行うことができ、スムーズでない本体プラスチック部材の場所は磨かれる。その後、パターンを本体プラスチック部材にプリントすることもできる。より具体的には、本体プラスチック部材の前側にパターンをプリントし、続いてそのパターンの仕上げ検査およびオーブンを用いて乾燥プロセスが行われる。その後、本体プラスチック部材の後側に他のパターンをプリントし、続いてそのパターンの他の仕上げ検査およびオーブンを用いる他の乾燥プロセスが行われる。
【００２６】
本体プラスチック部材上に合成ゴムペイントをスプレーする前に、本体プラスチック部材の表面を洗浄し、続いて洗浄の検査を行いオイルあるいは離型剤が残っていないようにする。合成ゴムペイントは、ゴムペイント、硬化剤およびシンナーを１０：１：４の重量比で均一に混合することによって形成する。電子天秤を用いて重量を０．１グラムの精度で制御し、スプレーされたコーティングの感触および接着を保証する。本体プラスチック部材上に合成ゴムペイントを一様にスプレーした後、オーブンによって乾燥する前に本体プラスチック部材を５〜１０分間静置する。乾燥プロセスは、２５〜３０分間摂氏６０〜７０度の温度で行うか、あるいは２〜３時間室温で行う。本体プラスチック部材上の合成ゴムペイントを完全に乾燥するには約２４時間かかる。合成ゴムペイントは形成後２時間内に用いる必要があり、そうでない場合、未使用の合成ゴムペイントは冷凍保存することになるか廃棄する必要がある。
【００２７】
本願に係る衣類ハンガーは下記のように製造することが出来る。前側および後側を有する本体を金型を用いる射出成形によって形成するステップと、本体を形成すると同時に、開口部を本体に形成するステップと、前側および後側を有するボックスを他の金型を用いる射出成形によって形成するステップと、滑り止め効果を得るために本体の表面の少なくとも一部に合成ゴムペイントをスプレーするステップと、を有する。ボックスの前側形状は、開口部における本体の前側形状と対応するよう形成されている。ボックスの後側形状は、開口部における本体の後側形状と対応するよう、そしてボックスの前側形状とは異なるよう形成されている。ボックスの厚さは、本体の厚さと同じであり、ボックスを本体に完全に嵌め込むことができるよう形成されている。
【００２８】
ボックスの前側および開口部における本体の前側をそれぞれ長方形であるよう形成することができる。ボックスの後側を上部側に凸部を有する長方形であるよう形成することができる。開口部における本体の後側を上部側壁に凹部を有する長方形であるよう形成することができる。
【００２９】
ボックスの後側を下側に延設される突起をさらに有するよう形成することができる。開口部における本体の後側を、下部側壁に延設される溝をさらに有するよう形成することができる。
【００３０】
本体の凹部およびボックスの凸部を、それぞれ半円状であるよう形成することができる。
【００３１】
ボックスを形成するステップは、ボックスに複数の孔を形成するステップを有することができる。
【００３２】
さらに、本体の前側に第１パターンをプリントするステップであって、続いて該パターンの仕上げ検査およびオーブンを用いて乾燥プロセスが行われるステップと、本体の後側に第２パターンをプリントするステップであって、続いて該パターンの他の仕上げ検査およびオーブンを用いる他の乾燥プロセスが行われるステップと、を有することができる。
【００３３】
本体の表面の少なくとも一部に合成ゴムペイントをスプレーするステップは、さらに、合成ゴムペイントを形成するためにゴムペイント、硬化剤およびシンナーを約１０：１：４の重量比で均一に混合するステップと、本体に合成ゴムペイントを一様にスプレーするステップと、約５〜１０分間本体を静置するステップと、約２５〜３０分間摂氏約６０〜７０度の温度で本体を加熱するか約２〜３時間室温で乾燥するステップと、を有することができる。
【００３４】
本実施形態において、衣類ハンガーを用いるとき、ユーザはアロマボックスを衣類ハンガーへ完全に嵌め込むことができる。アロマボックスには芳香片を入れておくことができ、これにより衣類ハンガーを収容している衣装ダンスの空間を芳香で満たすことができる。
【００３５】
本願をいくつかの実施形態を特に参照して図示し説明したが、本考案の範囲から逸脱することなく種々の変形および変更を行うことができることを述べておく。
【符号の説明】
【００３６】
１００  本体
１０１  開口部
１０３  アロマボックス
１０５  空気孔
１０７  凹部
１０９  溝
１１１  凸部
１１３  突起
【図１Ａ】
0003161732.tif 000003
【図１Ｂ】
0003161732.tif 000004
【図２Ａ】
0003161732.tif 000005
【図２Ｂ】
0003161732.tif 000006
【図３】
0003161732.tif 000007
【図４】
0003161732.tif 000008
【図５Ａ】
0003161732.tif 000009
【図５Ｂ】
0003161732.tif 000010
【図６】
0003161732.tif 000011